(57)【要約】【課題】  ロウソクやお香の熱による周囲への影響が小さく、ロウソクを最後までほぼ一定の大きさの炎で完全に燃焼させることができる仏具を提供する。【解決手段】  熱伝導率が黄銅よりも低いシルジン青銅により成形された、燭台１０、香炉２６、仏飯器４２などの仏具である。燭台１０は、ロウソクを立てる皿状の受け皿部１２と、受け皿部１２の中心にロウソクの下端穴に差し込まれる針１４とが、シルジン青銅で一体成形されている。【選択図】      図１
2005108502.tif 000002
【特許請求の範囲】
【請求項１】
熱伝導率が黄銅よりも低い銅合金により成形されていることを特徴とする仏具。
【請求項２】
上記銅合金はシルジン青銅であることを特徴とする請求項１記載の仏具。
【請求項３】
ロウソクを立てる皿状の受け皿部と、上記受け皿部の中心に立設されロウソクの下端穴に差し込まれる針とが、一体成形された燭台であることを特徴とする請求項２記載の仏具。
【発明の詳細な説明】
【技術分野】
【０００１】
この発明は、燭台や香炉、仏飯器等の仏具に関する。
【背景技術】
【０００２】
従来、仏壇などにおいてロウソクを立てる燭台は、例えば図５に示すようにロウソク１の下に位置する皿状の受け皿部２を有し、受け皿部２の中央に、ロウソク１の下端穴３に差し込む針４が取り付けられている。受け皿部２の中央には、雌ねじ５が貫通して形成され、針４の基端部には雄ネジ６が形成され、針４の雄ネジ６と受け皿部２の雌ねじ５が互いに螺合され、針４が受け皿部２に固定されている。この受け皿部２と針４は黄銅により形成されている。
【０００３】
図５に示すように、ロウソク１の下端部が受け皿部２に当接しない状態で針４に立てられている場合、燭台は、ロウソク１が燃焼して短くなったとき、ロウソク１の炎の熱が針４から受け皿部２に大量に奪われて、針４回りの残余のロウソク１が溶けにくくなり、炎は極端に小さく、消えやすくなる。また、受け皿部２の材料は熱伝導率が高いため、全体的に低めの温度に加温されるに過ぎず、受け皿部２の上面に垂れ落ちたロウ７は固まってしまう。固まったロウ７はロウソク１の芯に吸い上げられることがなく、受け皿部２上に燃焼しないロウ７が残存して無駄となり、外観もよくない。
【０００４】
これを防ぐため、特許文献１に示す燭台は、針の構成材料を、燭台の受け皿部である燭台本体の構成材料に対して熱伝導率の低いものにしている。例えば、燭台本体２は銅と亜鉛の合金である黄銅で作られ、針４は黄銅よりも熱伝導率が低いステンレスや鉄で作られている。針の熱伝導率が燭台本体の熱伝導率より低く、針は蓄熱性が高いため、ロウソク１の燃焼の終盤において、針が外部から見え始めるに至ったとき、炎の熱は針から燭台本体に奪われ難く、針に蓄熱される。このため針の回りのロウソクはその蓄熱によりよく溶け続け、一定の炎の大きさを維持可能となる。
【特許文献１】特開平８−２９３２１２号公報
【発明の開示】
【発明が解決しようとする課題】
【０００５】
上記図５や特許文献１に示す燭台は、受け皿部２と針４が別体であるため、受け皿部２に落下した液体のロウ７が受け皿部２と針４の隙間から下にもれることがあった。このため、たれ落ちたロウ７が燭台の下に位置する仏壇や盆を汚すことがあった。
【０００６】
この発明は、上記従来の技術の課題に鑑みてなされたものであり、ロウソクやお香の熱による周囲への影響が小さく、ロウソクを最後までほぼ一定の大きさの炎で完全に燃焼させることができる仏具を提供することを目的とする。
【課題を解決するための手段】
【０００７】
本発明は、熱伝導率が黄銅よりも低い銅合金により成形されている仏具である。上記仏具は、例えば、燭台、香炉、仏飯器などである。また、上記銅合金はシルジン青銅である。
【０００８】
また、ロウソクを立てる皿状の受け皿部と、上記受け皿部の中心にロウソクの下端穴に差し込まれる針が、シルジン青銅で一体成形された燭台である。
【０００９】
燭台の針は、ロウソクの下端穴よりも小さく形成され、ロウソクは針に嵌合してその下端部が燭台本体に当接するため、ロウソクが残り少なくなっても芯がロウを吸い上げ、完全に燃焼させるものである。
【発明の効果】
【００１０】
本発明の仏具は、ロウソクやお香の熱が伝わりにくいため、熱が逃げにくく、熱による仏壇やお盆への悪影響を少なくし、載せたものをいためることを防ぐ。また、ロウソクは最後までほぼ一定の炎の大きさを保ち、完全に燃焼させることができる。
【発明を実施するための最良の形態】
【００１１】
以下、この発明の実施形態について図面に基づいて説明する。図１、図２は、この発明の第一実施形態を示すものであり、この実施形態の仏具は、ロウソクを立てる燭台１０である。
【００１２】
燭台１０は、皿状の受け皿部１２を有し、受け皿部１２の中央には、受け皿部１２からほぼ直角に上方へ突出する針１４が一体に設けられている。針１４は、後述するロウソク１６の下端穴１７の内径及び長さと、略同一又は小さく形成されている。燭台１０は熱伝導率が黄銅よりも低い素材、例えばシルジン青銅で作られている。シルジン青銅は、Ｃｕ−Ｓｉ−Ｚｎ（銅−珪素−亜鉛）系の銅合金で、珪素黄銅ともいう。シルジン青銅は、耐食性と鋳造性に優れている。熱伝導率は０．０７cal/cm・s・degであり、従来から仏具に使用される黄銅が０．２２〜０．３５cal/cm・s・degであることに比べて大幅に低いものである。
【００１３】
燭台１０の使用方法は、針１４にロウソク１６の下端穴１７を差し込んで、ロウソク１６を立設する。次に、ロウソク１６の芯１８に火をつける。時間が経過すると、ロウソク１６が短くなり、芯１８と炎２０が針１４と受け皿部１２に近付く。針１４と受け皿部１２は、熱伝導率が低く蓄熱性が高いため、炎２０の熱は針１４と受け皿部１２に蓄熱される。このため、針１４回りの残余のロウソク１６はその蓄熱により良く溶け続け、芯１８にしみ込み、一定の炎２０の大きさを維持可能とする。
【００１４】
ここで使用するロウソク１６は、針４の根元まで芯１８が達するように、ロウソク１６の下端穴１７が針１４よりも大きく形成されているものが好ましい。ロウソク１６の下端穴１７が針１４より大きいと、ロウソク１６の芯１８が受け皿部１２に届くため、安定する。また、ロウソク１６の下端から、受け皿部１２に達する芯１８が延出するローソク足が設けられてもよい。
【００１５】
この実施形態の燭台１０によれば、受け皿部１２と針１４が、熱伝導率が低いシルジン青銅で一体に作られているため、ロウソク１６が短くなっても熱が逃げず、ロウを効率よく溶かして最後まで無駄がなく燃焼させることができる。これにより、ロウソク１６の炎２０は最初から最後までいつも同じ明るさ（同じ炎の大きさ）で、最後まで完全に燃焼する。ロウソク１６を燃やした後、受け皿部１２の上面にはロウが残存せず、掃除も容易である。また、受け皿部１２と針１４が一体成形されているため、ロウソク１６のロウが液体になって受け皿部１２内側に溜まるとき下に染み出すことがなく、仏壇やお盆をロウで汚さず、きれいに使用することができる。また、熱が外に逃げないことから、燭台１０が載っている仏壇をロウソク１６の熱により焦がしたり変色させることがない。シルジン青銅は、環境に配慮した鉛レス素材であり、廃棄しても有害にならない。
【００１６】
なお、この実施形態の燭台１０は、図２に示すように受け皿部１２の下に燭台本体２２が一体に設けられていてもよい。燭台本体２２は、受け皿部１２から離れるに従い径が大きくなる円錐状で、受け皿部１２の下に、受け皿部１２から先端にかけての数ヶ所に、凹凸の装飾部２４が形成されている。燭台本体２２は、中空に形成され、受け皿部１２、針１４、燭台本体２２は、シルジン青銅により一体に成形されて作られている。
【００１７】
このような脚部２２を有する燭台１０も、ロウソク１６を効率よく溶かし液体になったロウ１９を最後まで燃焼させることができる。また、受け皿部１２と針１４が一体成形され、液体のロウ１９が下に染み出すことがない。さらに、脚部２２を保持して移動させる場合は、熱くないため火傷などの事故を防ぐ。
【００１８】
次に、この発明の第二実施形態について説明する。ここで上記実施の形態と同一の部材は、同一の符号を付して説明を省略する。図３はこの発明の第二実施形態を示すものであり、この実施形態の仏具はお香をたく香炉２６である。
【００１９】
香炉２６は、浅い壷状の本体２８を有し、本体２８の開口部は、上方に立上部３０が一周して形成され、立上部３０の周縁部に、側方に広がるフランジ部３２が、一周して形成されている。本体２８の底部２８ａの外側面には、小さい脚部３４が下方に突出して一体に設けられている。香炉２６は、熱伝導率が黄銅よりも低い素材、例えばシルジン青銅で作られている。
【００２０】
香炉２６の使用方法は、本体２８の内側に灰３６を入れ、火がつけられた火種３８を灰３６の表面に置く。そして火種３８の上に、香の粉４０をかける。
【００２１】
この実施形態の香炉２６によれば、本体２８と脚部３４が熱伝導率の低いシルジン青銅で作られているため、火種３８が高温になっても脚部３４が熱くならず、香炉２６が載っている仏壇やお盆を、焦がしたり変色させることがない。また、香炉２６を素手で保持しても火傷することがなく、安全である。
【００２２】
次に、この発明の第三実施形態について説明する。ここで上記実施の形態と同一の部材は、同一の符号を付して説明を省略する。図４はこの発明の第三実施形態を示すものであり、この実施形態の仏具は、ご飯を盛り付けて備える仏飯器４２である。
【００２３】
仏飯器４２は、適度な深みのあるお椀形の本体４４が設けられ、本体４４の下に一本の脚部４６が設けられている。脚部４６の下端部には、円板状の台部４８が一体に設けられている。脚部４６の途中には、装飾部５０が設けられている。仏飯器４２は、熱伝導率が低い素材、例えばシルジン青銅で作られている。
【００２４】
この実施形態の仏飯器４２によれば、熱伝導率が低いので、熱いご飯を入れても本体４４が熱くならず、手で触れても熱さを感じない。しかも、鉛を含まないシルジン青銅で作られているため、ご飯に鉛が溶け出さず、供え終わったご飯を食べる場合、安全である。
【００２５】
なお、この発明の仏具は、上記各実施形態に限定されず、各仏具の形状や装飾など、適宜変更可能であり、成形も一体成形のみ成らず、複数の成形体を組み合わせてものでも良い。素材も、シルジン青銅意外に、熱伝導性が低く、加工性が良好なものでも良い。
【図面の簡単な説明】
【００２６】
【図１】この発明の第一実施形態の燭台の縦断面図である。
【図２】この発明の第一実施形態の燭台の変形例を示す縦断面図である。
【図３】この発明の第二実施形態の香炉の正面図である。
【図４】この発明の第三実施形態の仏飯器の正面図である。
【図５】従来の燭台の縦断面図である。
【符号の説明】
【００２７】
１０  燭台
１２  受け皿部
１４  針
１６  ロウソク
１７  下端穴
１８  芯
２０  炎
【図１】
2005108502.tif 000003
【図２】
2005108502.tif 000004
【図３】
2005108502.tif 000005
【図４】
2005108502.tif 000006
【図５】
2005108502.tif 000007